(57)【要約】【課題】第三者による不正登録の試行があったことを既登録の鍵装置のユーザに認識させ易い電気錠システム及び電気錠装置を提供する。【解決手段】電気錠システム１００は、電気錠装置１と、鍵装置２と、通知部３と、を備える。電気錠装置１は、錠側通信部１１と、錠側制御部１４と、登録部１４２と、を有する。錠側制御部１４は、既登録装置の認証に成功すると電気錠１３を制御可能な状態にする。登録部１４２は、所定の条件を満たした場合に未登録装置のための鍵情報を未登録装置に対して送信し、かつ、当該鍵情報を認証情報の一部として記憶する登録処理を実行する。通知部３は、既登録装置のユーザに対して、登録処理に関する処理が実行されたことを実行情報として通知する。【選択図】図１
2018145638.tif 000002
【特許請求の範囲】
【請求項１】
建物の出入口を施錠又は解錠する電気錠を制御する電気錠装置と、
前記出入口の解錠操作及び施錠操作のうち少なくとも一方の操作を行うための鍵装置と、
通知部と、を備え、
前記電気錠装置は、
前記鍵装置との間で無線通信を行う錠側通信部と、
前記錠側通信部が前記鍵装置のうち既登録の鍵装置である既登録装置から受信した鍵情報と、予め記憶している認証情報との認証を行い、前記認証に成功すると前記電気錠を制御可能な状態にする錠側制御部と、
前記錠側通信部と未登録の鍵装置である未登録装置との間の通信により、所定の条件を満たした場合に前記未登録装置のための前記鍵情報を前記未登録装置に対して送信し、かつ、当該鍵情報を前記認証情報の一部として記憶する登録処理を実行する登録部と、を有し、
前記通知部は、前記既登録装置のユーザに対して、前記登録処理に関する処理が実行されたことを実行情報として通知するように構成されている
電気錠システム。
【請求項２】
前記電気錠装置は、前記通知部を有しており、
前記通知部は、前記既登録装置と前記電気錠装置との間で前記認証を行うと、前記実行情報を通知するように構成されている
請求項１記載の電気錠システム。
【請求項３】
前記実行情報は、複数の情報を含んでおり、
前記通知部は、前記複数の情報のうち優先度の高い情報から通知するように構成されている
請求項２記載の電気錠システム。
【請求項４】
前記実行情報は、前記登録処理に関する処理が実行された時刻を含む
請求項２又は３に記載の電気錠システム。
【請求項５】
前記既登録装置は、複数であって、
前記通知部は、前記複数の既登録装置のうち２以上の既登録装置のユーザに対して前記実行情報を通知するように構成されている
請求項２〜４のいずれか１項に記載の電気錠システム。
【請求項６】
前記鍵装置は、前記通知部を有しており、
前記通知部は、前記登録処理が試行されると、前記既登録装置の前記ユーザに対して、前記実行情報として前記登録処理の試行に関する試行情報を通知するように構成されている
請求項１記載の電気錠システム。
【請求項７】
前記通知部は、電子メールにより、前記既登録装置の前記ユーザに対して前記試行情報を通知するように構成されている
請求項６記載の電気錠システム。
【請求項８】
前記通知部による前記試行情報の通知が完了すると、前記登録処理の続行を許可する許可部を更に備える
請求項６又は７に記載の電気錠システム。
【請求項９】
請求項１〜８のいずれか１項に記載の電気錠システムにおける電気錠装置であって、
前記通知部を備える
電気錠装置。
【発明の詳細な説明】
【技術分野】
【０００１】
本発明は、一般に、電気錠システム及び電気錠装置に関し、より詳細には、建物の出入口を電動で施錠又は解錠する電気錠システム及び電気錠装置に関する。
【背景技術】
【０００２】
従来、建物の出入口を電動で施錠又は解錠する電気錠システムが知られており、例えば特許文献１に開示されている。特許文献１に記載の電気錠システムは、制御機能付電気錠（電気錠装置）を備えている。制御機能付電気錠では、制御手段が錠本体の内部に組み込まれている。制御手段は、外部から取得した認証情報と照合するための照合情報を予め記憶し、認証情報と照合情報とを照合して認証情報が特定の認証情報であると判別されたときに自身の施解錠機構を制御する。
【先行技術文献】
【特許文献】
【０００３】
【特許文献１】特開２００６−３１６５４２号公報
【発明の概要】
【発明が解決しようとする課題】
【０００４】
ところで、上記従来例のような電気錠システムでは、ユーザは、自己の有する未登録の鍵装置を電気錠装置に登録する必要がある。そして、電気錠システムにおいては、既登録の鍵装置のユーザ以外の第三者が認証情報を登録しようとした場合、つまり不正登録を試行した場合に、既登録の鍵装置のユーザに不正登録の試行があったことを認識させることが望まれている。
【０００５】
本発明は、上記の点に鑑みてなされており、第三者による不正登録の試行があったことを既登録の鍵装置のユーザに認識させ易い電気錠システム及び電気錠装置を提供することを目的とする。
【課題を解決するための手段】
【０００６】
本発明の一態様に係る電気錠システムは、電気錠装置と、鍵装置と、通知部と、を備える。前記電気錠装置は、建物の出入口を施錠又は解錠する電気錠を制御する。前記鍵装置は、前記出入口の解錠操作及び施錠操作のうち少なくとも一方の操作を行うための装置である。前記電気錠装置は、錠側通信部と、錠側制御部と、登録部と、を有している。前記錠側通信部は、前記鍵装置との間で無線通信を行う。前記錠側制御部は、前記錠側通信部が前記鍵装置のうち既登録の鍵装置である既登録装置から受信した鍵情報と、予め記憶している認証情報との認証を行い、前記認証に成功すると前記電気錠を制御可能な状態にする。前記登録部は、登録処理を実行する。前記登録処理は、所定の条件を満たした場合に未登録の鍵装置である未登録装置のための鍵情報を前記未登録装置に対して送信し、かつ、当該鍵情報を認証情報の一部として記憶する処理である。前記登録処理は、前記錠側通信部と前記未登録装置との間の通信により行われる。前記通知部は、前記既登録装置のユーザに対して、前記登録処理に関する処理が実行されたことを実行情報として通知するように構成されている。
【０００７】
本発明の一態様に係る電気錠装置は、上記の電気錠システムにおける電気錠装置であって、前記通知部を備える。
【発明の効果】
【０００８】
本発明は、第三者による不正登録の試行があったことを既登録の鍵装置のユーザに認識させ易い。
【図面の簡単な説明】
【０００９】
【図１】図１は、実施形態１に係る電気錠システムの構成を示すブロック図である。
【図２】図２は、同上の電気錠システムの使用例の説明図である。
【図３】図３Ａは、同上の電気錠システムにおける、登録処理の成功時の動作を説明するシーケンス図である。図３Ｂは、同上の電気錠システムにおける、登録処理の失敗時の動作を説明するシーケンス図である。
【図４】図４は、同上の電気錠システムにおける通知動作を説明するシーケンス図である。
【図５】図５は、実施形態２に係る電気錠システムの構成を示すブロック図である。
【図６】図６は、同上の電気錠システムの動作を説明するシーケンス図である。
【発明を実施するための形態】
【００１０】
（実施形態１）
（１）概要
以下、実施形態１の電気錠システム１００及び電気錠装置１について説明するに当たり、まず、本実施形態の電気錠システム１００の概要について説明する。本実施形態の電気錠システム１００は、図１に示すように、電気錠装置１と、鍵装置２と、を備えている。
【００１１】
電気錠装置１は、図２に示すように、建物４の出入口５の施錠又は解錠を行う装置である。出入口５は、建物４の内（宅内４１）と外（宅外４２）とを隔てる扉又は窓であって、例えば、玄関扉や勝手口、又は掃き出し窓などである。本実施形態では、出入口５は、玄関扉である。電気錠装置１は、出入口５に設置されている。電気錠装置１は、鍵装置２と通信可能に構成されている。そして、電気錠装置１は、鍵装置２との通信によって、出入口５を施錠する施錠状態と、出入口５を解錠する解錠状態との切り替えを電気的に行うように構成されている。
【００１２】
鍵装置２は、電気錠装置１との通信機能を有している。本実施形態では、電気錠装置１と鍵装置２との間の通信方式は、電波を媒体とする無線通信である。また、本実施形態では、電気錠装置１及び鍵装置２は、いずれも電池駆動式である。また、本実施形態では、鍵装置２は、例えば電話機能を有する携帯電話端末である。本実施形態では、建物４が戸建住宅である場合を例として説明する。したがって、ユーザ６は、主として建物４の住人のうち、鍵装置２を所有する人である。また、以下では、ユーザ６は、鍵装置２を所有する第三者を含む。
【００１３】
電気錠システム１００では、鍵装置２に予め記憶されている鍵情報を、鍵装置２が電気錠装置１に送信することによって、電気錠装置１での出入口５の解錠及び施錠を可能にする。すなわち、電気錠装置１と鍵装置２とが通信し、電気錠装置１において鍵装置２の持つ鍵情報の認証が成功した場合に、電気錠装置１は出入口５の解錠及び施錠が可能な状態となる。ここで、電気錠装置１は、認証の成功後、錠側操作部１２（後述する）の所定の操作（解錠操作）を待って出入口５の解錠を行ってもよいし、解錠操作の有無にかかわらず、認証の成功後、直ちに出入口５の解錠を行ってもよい。結果的に、電気錠装置１は、鍵装置２との通信によって、施錠状態から解錠状態へ切り替える解錠動作、及び解錠状態から施錠状態へ切り替える施錠動作の少なくとも一方の動作を行う。
【００１４】
本実施形態では、既に登録してある既登録の鍵装置２（以下、「既登録装置２Ａ」ともいう。図４参照）であれば、上述の認証を行うことが可能である。一方、未だ登録していない未登録の鍵装置２（以下、「未登録装置２Ｂ」ともいう。図３Ａ、図３Ｂ参照）は、上述の認証を行うことができない。そこで、上述の認証を行うためには、ユーザ６は、電気錠装置１での認証に用いられる鍵情報を予め未登録装置２Ｂに記憶させる必要がある。言い換えれば、ユーザ６は、上述の認証を行うためには、未登録装置２Ｂを電気錠装置１に登録する必要がある。
【００１５】
そして、電気錠システム１００は、未登録装置２Ｂを電気錠装置１に登録するための登録処理に関する処理が実行された場合、既登録装置２Ａのユーザ６に対して、登録処理に関する処理が実行されたことを実行情報として通知するように構成されている。このため、本実施形態では、登録処理に関する処理が実行されたことをユーザ６が知ることができる。つまり、本実施形態の電気錠システム１００は、第三者による不正登録の試行があったことを既登録装置２Ａのユーザ６に認識させ易い。
【００１６】
（２）詳細
以下、本実施形態の電気錠システム１００における、電気錠装置１及び鍵装置２の構成について図１、図２を用いて詳細に説明する。
【００１７】
電気錠装置１は、錠側通信部１１と、錠側操作部１２と、電気錠１３と、錠側制御部１４と、錠側記憶部１５と、電池１６と、を有している。電気錠装置１は、例えば出入口５となる扉（例えば、玄関扉）に内蔵されている。本実施形態では、建物４の出入口５に取り付けられるケース１７に、電気錠装置１の全ての構成要素が収納されている。電池１６は、二次電池であり、電気錠装置１の動作用電源となる。電池１６は、電気錠装置１の構成要素に含まれていなくてもよい。
【００１８】
錠側通信部１１は、例えば、アンテナと、通信回路と、を有し、電波を媒体とする無線通信を行う。錠側通信部１１は、例えばＢＬＥ（Bluetooth Low Energy）の規格に準拠した近距離無線通信を行うように構成されている。ここで、「ＢＬＥ」とは、無線ＰＡＮ（Personal Area Network）技術であるＢｌｕｅｔｏｏｔｈ（登録商標）の仕様における、バージョン４．０の呼称である。錠側通信部１１は、錠側制御部１４からの指令に従って、ビーコン信号を間欠的に送信する。また、錠側通信部１１は、ビーコン信号に応答して鍵側通信部２１（後述する）から送信されるビーコン応答を受信すると、鍵装置２の認証を開始する。つまり、錠側通信部１１は、信号の送信機能及び受信機能を有しており、鍵側通信部２１との間で双方向の通信を行うように構成されている。
【００１９】
錠側操作部１２は、ユーザ６（つまり、人）による操作入力を受け付ける機能を有している。錠側操作部１２は、例えば出入口５の宅内４１側及び宅外４２側の各々に設けられた押釦スイッチからなる。その他、錠側操作部１２は、例えば出入口５の扉に備わっているドアハンドル（取っ手）であってもよいし、ユーザ６がドアハンドルに触れる操作を検知するタッチセンサ等であってもよい。錠側操作部１２は、人による操作入力を受け付けると、操作入力に応じた操作信号を錠側制御部１４に送信する。
【００２０】
電気錠１３は、建物４の出入口５（ここでは、玄関扉）を解錠及び施錠する。電気錠１３は、デッドボルトと、駆動部と、駆動回路と、を有している。駆動回路は、錠側制御部１４から出力される制御信号（解錠信号又は施錠信号）に応じて駆動信号を生成し、生成した駆動信号を駆動部に出力する。駆動部は、電動モータと、電動モータの駆動力をデッドボルトに伝達する伝達機構とを備える。駆動部は、駆動回路から入力される駆動信号に従って駆動モータを駆動する。駆動モータの駆動力が伝達機構を介してデッドボルトに伝達されることによって、デッドボルトが施錠位置又は解錠位置に移動する。ここで、デッドボルトが施錠位置に移動した状態では、デッドボルトの少なくとも一部が、出入口５を支持する扉枠に設けられたボルト穴に挿入されており、この状態では出入口５が閉じた状態で保持される。デッドボルトが解錠位置に移動した状態では、デッドボルトの全体がボルト穴の外に出ており、この状態では出入口５の開閉が可能になる。
【００２１】
錠側制御部１４は、例えばプロセッサ及びメモリを主構成とするマイクロコンピュータにて構成されている。言い換えれば、錠側制御部１４は、プロセッサ及びメモリを有するコンピュータにて実現されている。そして、プロセッサがメモリに格納されているプログラムを実行することにより、認証部１４１、登録部１４２、通知部３などの錠側制御部１４の機能が実現される。プログラムは、ここではマイクロコンピュータのメモリに予め記録されているが、インターネット等の電気通信回線を通じて、又はメモリカード等の記録媒体に記録されて提供されてもよい。
【００２２】
認証部１４１は、錠側通信部１１が鍵装置２から受信した鍵情報を、錠側記憶部１５が記憶する認証情報と照合することにより、鍵情報を送信してきた鍵装置２が、電気錠１３の操作を許可された鍵装置２であるか否かを認証する。認証部１４１による認証に成功すると、錠側制御部１４は、電気錠１３を制御可能な状態にする。そして、錠側制御部１４は、制御信号（解錠信号又は施錠信号）を電気錠１３の駆動回路に出力することにより、電気錠１３を制御する。なお、錠側制御部１４は、認証部１４１による認証が成功すると直ちに制御信号を出力するのではなく、錠側操作部１２での所定の操作（解錠操作）を待って制御信号を出力してもよい。
【００２３】
本実施形態において、電気錠装置１の動作モードには、電気錠１３の動作を制御する通常モードと、未登録装置２Ｂを電気錠装置１に登録する登録モードとがある。認証部１４１は、動作モードが通常モードである場合に機能する。
【００２４】
登録部１４２は、未登録装置２Ｂを電気錠装置１に登録するための登録処理を実行する。登録処理は、錠側通信部１１と未登録装置２Ｂとの間の通信により、所定の条件を満たした場合に未登録装置２Ｂのための鍵情報を未登録装置２Ｂに対して送信し、かつ、当該鍵情報を認証情報の一部として錠側記憶部１５に記憶する処理である。本実施形態では、所定の条件は、未登録装置２Ｂのユーザの入力するパスワード（セキュリティコード）が予め錠側記憶部１５にて記憶してあるパスワードと一致することである。パスワードは、例えばユーザ６が未登録装置２Ｂの入力インタフェースを操作して入力してもよいし、ユーザ６が錠側操作部１２を操作して入力してもよい。ユーザ６が未登録装置２Ｂの入力インタフェースを操作する場合、入力したパスワードは、未登録装置２Ｂの鍵側通信部２１（後述する）から電気錠装置１へ送信される。登録部１４２は、動作モードが登録モードである場合に機能する。
【００２５】
通知部３は、既登録装置２Ａのユーザ６に対して、登録処理に関する処理が実行されたことを実行情報として通知する。ここで、「登録処理に関する処理」とは、登録処理の他、例えば登録処理に必要となるパスワードを変更する処理、パスワードを参照する処理、登録を抹消する処理などを含む。「登録処理に関する処理」のうち登録処理は、登録モードにおいて、ユーザ６が未登録装置２Ｂを用いて実行する処理である。また、「登録処理に関する処理」のうちパスワードを変更する処理、パスワードを参照する処理、及び登録を抹消する処理は、いずれも登録モードにおいて、ユーザ６が既登録装置２Ａを用いて実行する処理である。
【００２６】
通知部３は、所定のタイミングで錠側通信部１１から既登録装置２Ａの鍵側通信部２１（後述する）へ実行情報を送信することで、既登録装置２Ａのユーザ６に対して実行情報を通知する。本実施形態では、所定のタイミングは、既登録装置２Ａと電気錠装置１との間で通信を行うときである。また、本実施形態では、通知部３は、動作モードが通常モードである場合に機能するが、動作モードが登録モードである場合に機能してもよい。つまり、通知部３が機能する所定のタイミングは、電気錠システム１００の仕様により適宜設定されてよい。
【００２７】
錠側記憶部１５は、例えばＥＥＰＲＯＭ（Electrically Erasable and Programmable Read-Only Memory）のような電気的に書き換え可能な不揮発性メモリを備える。錠側記憶部１５は、電気錠１３の制御を許可された１台以上の鍵装置２（つまり、既登録装置２Ａ）の鍵情報を認証情報として記憶する。本実施形態では、鍵装置２には固有の鍵情報が付与されている。このため、錠側記憶部１５は、鍵装置２の識別情報と、鍵装置２に付与された鍵情報とを対応付けて記憶する。
【００２８】
鍵装置２は、例えばスマートフォンのような携帯端末である。鍵装置２は、図１に示すように、鍵側通信部２１と、鍵側制御部２２と、鍵側操作部２３と、鍵側記憶部２４と、表示部２５と、電池２６と、を有しており、これらを携帯可能なケース内に収納して構成されている。電池２６は、二次電池であり、鍵装置２の動作用電源となる。電池２６は、鍵装置２の構成要素に含まれていてもよいし、鍵装置２の構成要素に含まれていなくてもよい。
【００２９】
鍵側通信部２１は、例えばアンテナと、通信回路と、を有している。鍵側通信部２１は、錠側通信部１１との間で、例えばＢＬＥの規格に準拠した近距離無線通信を行うように構成されている。鍵側通信部２１は、鍵側制御部２２からの指令に従って、応答信号を送信する。また、鍵側通信部２１は、錠側通信部１１から間欠的に送信されるビーコン信号を受信する。鍵側通信部２１は、ビーコン信号を受信すると、ビーコン信号を受信したことを通知するビーコン応答を電気錠装置１に送信する。鍵装置２からのビーコン応答を電気錠装置１の錠側通信部１１が受信することにより、鍵装置２の認証を行うための認証通信が電気錠装置１と鍵装置２との間で開始される。
【００３０】
鍵側制御部２２は、例えばプロセッサ及びメモリを主構成とするマイクロコンピュータにて構成されている。言い換えれば、鍵側制御部２２は、プロセッサ及びメモリを有するコンピュータにて実現されている。そして、プロセッサがメモリに格納されているプログラムを実行することにより、鍵側制御部２２の機能が実現される。プログラムは、ここではマイクロコンピュータのメモリに予め記録されているが、インターネット等の電気通信回線を通じて、又はメモリカード等の記録媒体に記録されて提供されてもよい。
【００３１】
鍵側操作部２３は、ユーザ６（つまり、人）による操作入力を受け付ける機能を有している。鍵側操作部２３は、例えば鍵装置２のケースに設けられた押釦スイッチで構成されていてもよいし、鍵装置２のケースに設けられたレバーで構成されていてもよい。本実施形態では、鍵側操作部２３は、表示部２５を構成するディスプレイ装置に設けられたタッチパネルを有している。タッチパネルは、静電容量方式、感圧式などのタッチセンサを有する。ユーザ６が表示部２５を構成するディスプレイ装置に触れる操作（タップ操作、スワイプ操作など）を行うと、鍵側操作部２３は、操作に応じた信号を鍵側制御部２２に出力する。
【００３２】
鍵側記憶部２４は、例えばＥＥＰＲＯＭのような電気的に書き換え可能な不揮発性メモリを備える。鍵側記憶部２４は、鍵装置２に割り当てられた個別の識別情報、及び電気錠装置１から付与された鍵情報などを記憶する。また、鍵側記憶部２４には、鍵装置２のコンピュータが実行するプログラムが記憶されている。このプログラムは、予めメモリに記憶されていてもよいし、インターネット等の電気通信回線を通じて、又はメモリカード等の記録媒体に記録されて提供されてもよい。本実施形態のように、鍵装置２がスマートフォンであれば、鍵側記憶部２４には、ユーザ６が任意にインストールしたアプリケーションが記憶されていてもよい。
【００３３】
表示部２５は、例えば液晶ディスプレイ、有機ＥＬ（Electro Luminescence）ディスプレイ等の薄型ディスプレイ装置である。表示部２５は、鍵側制御部２２によって表示内容が制御される。
【００３４】
（３）動作
以下、本実施形態の電気錠システム１００及び電気錠装置１の動作について説明する。
【００３５】
（３．１）通常モード
まず、通常モードでの電気錠システム１００の動作について説明する。以下では、既登録装置２Ａのユーザ６の帰宅時に鍵装置２を用いて出入口５を解錠する場合の動作について説明する。
【００３６】
電気錠装置１の錠側通信部１１は、通常モードでは、錠側制御部１４からの指令に従って、ビーコン信号を間欠的（例えば０．１〜２秒程度の間隔）に送信する。錠側制御部１４は、ビーコン信号を送信する処理と、ビーコン信号の送信後に一定時間、ビーコン応答を待ち受ける処理とを、所定の周期で繰り返す。
【００３７】
ユーザ６が出入口５に近付き、ユーザ６が所持する鍵装置２が、電気錠装置１を基準にして、鍵装置２と電気錠装置１との間で通信が可能な範囲（通信可能範囲）に入ると、鍵側通信部２１が電気錠装置１からのビーコン信号を受信する。鍵側制御部２２は、鍵側通信部２１がビーコン信号を受信すると、ビーコン応答を鍵側通信部２１から電気錠装置１へ送信する。
【００３８】
また、電気錠装置１の錠側通信部１１がビーコン応答を受信すると、認証部１４１が認証処理を開始する。認証部１４１が認証処理を開始すると、錠側制御部１４は、錠側通信部１１から鍵装置２へ鍵情報を要求する要求信号を送信する。鍵装置２の鍵側通信部２１が要求信号を受信すると、鍵側制御部２２は、鍵側記憶部２４に記憶された鍵情報を含む応答信号を作成し、この応答信号を鍵側通信部２１から電気錠装置１へ送信する。錠側通信部１１が鍵装置２から応答信号を受信すると、認証部１４１は、応答信号に含まれる鍵情報及び鍵装置２の識別情報を、錠側記憶部１５が記憶している認証情報と照合することによって、鍵装置２の認証を行う。
【００３９】
ここで、認証部１４１の認証が失敗すると、錠側制御部１４は、電気錠１３の制御を行わない。一方、認証部１４１の認証が成功すると、錠側制御部１４は、電気錠１３を制御可能な状態にする。電気錠１３が制御可能な状態で、ユーザ６が錠側操作部１２の宅外４２側の押釦スイッチを押すと、錠側制御部１４から電気錠１３に制御信号が出力される。そして、電気錠１３は、制御信号に従ってデッドボルトを解錠位置に移動させる。デッドボルトが解錠位置に移動した状態では、既登録装置２Ａのユーザ６は、出入口５を通って建物４の中に入ることができる。
【００４０】
（３．２）登録モード
次に、登録モードでの電気錠システム１００の動作について図３Ａ、図３Ｂを用いて説明する。図３Ａは、登録処理が成功した場合のシーケンス図を示す。図３Ｂは、登録処理が失敗した場合のシーケンス図を示す。また、図３Ｂでは、図３Ａと共通するステップＳ１００〜ステップＳ１０４の図示を省略している。
【００４１】
図３Ａに示すように、まず、未登録装置２Ｂのユーザ６が電気錠装置１の錠側操作部１２に所定の操作をすることで、所定の期間（例えば、数十秒間）、電気錠装置１が通常モードから登録モードに移行する（ステップＳ１００）。ここで、「所定の操作」は、例えば電気錠装置１の宅内４１側の押釦スイッチを押す操作である。
【００４２】
登録モードに移行すると、登録部１４２が登録処理を開始する（ステップＳ１０１）。登録部１４２が登録処理を開始した状態で、ユーザ６は、未登録装置２Ｂの鍵側操作部２３を操作することにより、登録に必要なパスワード（セキュリティコード）を入力する（ステップＳ１０２）。鍵側制御部２２は、鍵側操作部２３に入力されたパスワードを含む登録要求信号を作成し、この登録要求信号を鍵側通信部２１から電気錠装置１へ送信する（ステップＳ１０３）。
【００４３】
錠側通信部１１が未登録装置２Ｂから登録要求信号を受信すると、登録部１４２は、登録要求信号に含まれるパスワードを、錠側記憶部１５にて予め記憶しているパスワードと照合する（ステップＳ１０４）。受信したパスワードが錠側記憶部１５にて予め記憶しているパスワードと一致する場合、登録部１４２は、未登録装置２Ｂに割り当てる鍵情報を含む登録信号を、錠側通信部１１から未登録装置２Ｂへ送信する（ステップＳ１０５）。ここで、登録部１４２は、鍵情報を作成してもよいし、錠側記憶部１５に予め記憶されている複数の鍵情報から任意の鍵情報を選択してもよい。
【００４４】
登録部１４２は、未登録装置２Ｂに割り当てる鍵情報を、認証情報の一部として未登録装置２Ｂと紐付けて錠側記憶部１５に記憶する（ステップＳ１０６）。また、鍵側通信部２１が電気錠装置１から登録信号を受信すると、鍵側制御部２２は、受信した登録信号に含まれる鍵情報を鍵側記憶部２４に記憶する（ステップＳ１０７）。ここで、鍵側制御部２２は、受信した登録信号に含まれる情報に基づいて鍵情報を作成し、作成した鍵情報を鍵側記憶部２４に記憶してもよい。この場合、登録信号には、鍵情報の代わりに、鍵情報を作成するために必要な情報が含まれる。そして、錠側制御部１４は、登録モードから通常モードに移行する（ステップＳ１０８）。これにより、未登録装置２Ｂが電気錠装置１に登録される。以後、この未登録装置２Ｂは、既登録装置２Ａとして電気錠装置１で認証可能となる。
【００４５】
一方、図３Ｂに示すように、受信したパスワードが錠側記憶部１５にて予め記憶しているパスワードと一致しない場合、登録部１４２は、パスワードが一致しない旨をユーザ６へ通知する（ステップＳ１０９）。本実施形態では、登録部１４２が、パスワードが一致しない旨の情報を含む返信信号を錠側通信部１１から未登録装置２Ｂへ送信することで通知を行っている（ステップＳ１１０）。返信信号を鍵側通信部２１が受信すると、鍵側制御部２２は、例えば「パスワードが間違っています。再入力してください」などのメッセージを表示部２５に表示してもよいし、当該メッセージの音声を鍵装置２に備え付けのスピーカから再生してもよい。その他、通知は、例えば「パスワードが間違っています。再入力してください」などの音声を電気錠装置１に備え付けのスピーカから再生することで行ってもよい。
【００４６】
通知を受けたユーザ６は、未登録装置２Ｂの鍵側操作部２３を操作することにより、パスワードを再入力する（ステップＳ１１１）。鍵側制御部２２は、鍵側操作部２３に再入力されたパスワードを含む登録要求信号を作成し、この登録要求信号を鍵側通信部２１から電気錠装置１へ送信する（ステップＳ１１２）。その後、再入力したパスワードが錠側記憶部１５にて予め記憶しているパスワードと一致しない事象が所定の回数（例えば、２回）連続して発生すると（ステップＳ１１３）、登録部１４２は、登録処理を停止する（ステップＳ１１４）。
【００４７】
登録処理における未登録装置２Ｂの登録の成功及び失敗のいずれの場合でも、錠側制御部１４は、登録処理に関する処理が実行されたことを実行情報として錠側記憶部１５に記憶する。また、錠側制御部１４は、上述の登録処理の他に、パスワードの変更処理、パスワードの参照処理、及び登録の抹消処理が実行されたことも実行情報として錠側記憶部１５に記憶する。
【００４８】
（３．３）通知
次に、通知部３による通知動作について図４を用いて説明する。以下では、通常モードにおいて、既登録装置２Ａのユーザ６が帰宅した場合の動作について説明する。
【００４９】
既に述べたように、電気錠装置１の錠側通信部１１は、通常モードでは、錠側制御部１４からの指令に従って、ビーコン信号を間欠的に送信する（ステップＳ２００）。ユーザ６が通信可能範囲に入り、鍵側通信部２１が電気錠装置１からのビーコン信号を受信すると、鍵側制御部２２は、ビーコン応答を鍵側通信部２１から電気錠装置１へ送信する（ステップＳ２０１）。そして、認証部１４１が認証処理を開始する（ステップＳ２０２）。
【００５０】
認証部１４１の認証が成功すると（ステップＳ２０３）、通知部３は、錠側記憶部１５から実行情報を読み出し、既登録装置２Ａのユーザ６に対して実行情報を通知する（ステップＳ２０４）。本実施形態では、通知部３が、実行情報を含む通知信号を錠側通信部１１から既登録装置２Ａへ送信することで通知を行っている（ステップＳ２０５）。通知信号を鍵側通信部２１が受信すると、鍵側制御部２２は、実行情報に新規登録があった旨を示す情報が含まれていれば、例えば「新規登録があります」などのメッセージを表示部２５に表示する。また、鍵側制御部２２は、実行情報に登録が失敗した旨を示す情報が含まれていれば、例えば「登録が試行されました」などのメッセージを表示部２５に表示する。その他、鍵側制御部２２は、実行情報にパスワードが変更された旨を示す情報が含まれていれば、例えば「パスワードが変更されました」などのメッセージを表示部２５に表示する。
【００５１】
（４）利点
本実施形態の電気錠システム１００では、通知部３は、既登録装置２Ａのユーザ６に対して、登録処理に関する処理が実行されたことを実行情報として通知する。このため、本実施形態では、既登録装置２Ａのユーザ６は、登録処理に関する処理が実行されたことを知ることができる。
【００５２】
ここで、例えば既登録装置２Ａのユーザ６の家族が未登録装置２Ｂを所持している場合、既登録装置２Ａのユーザ６は、未登録装置２Ｂのユーザ６（家族）が登録処理に関する処理を実行する時間帯、状況などは、ある程度推測可能である。したがって、既登録装置２Ａのユーザ６は、登録処理に関する処理が実行された時間帯、状況が想定外であれば、家族以外の第三者が不正登録を試行したと推測することが可能である。第三者は、例えば既登録装置２Ａのユーザの親戚、友人、恋人の他、宅配業者、メンテナンス業者などを含む。つまり、ここでいう第三者は、主として建物４の宅内４１に招き入れた人である。このような第三者は、状況によっては宅内４１側で電気錠装置１を操作可能であり、不正登録を行う可能性があると考えられる。
【００５３】
一例を挙げると、家族全員が旅行中に登録処理に関する処理が実行されたと通知があれば、既登録装置２Ａのユーザ６は、登録処理に関する処理を第三者が実行したと推測することが可能である。また、登録処理に関する処理が実行された時間帯、状況が想定内であったとしても、既登録装置２Ａのユーザ６は、家族に確認することで、登録処理に関する処理を第三者が実行したか否かを知ることが可能である。つまり、本実施形態の電気錠システム１００は、第三者による不正登録の試行があったことを既登録装置２Ａのユーザ６に認識させ易い。
【００５４】
また、実行情報の通知を受けた既登録装置２Ａのユーザ６が管理者権限を有していれば、当該ユーザ６は、新規登録を抹消したり、変更されたパスワードを更に変更したりすることも可能である。この場合、不正登録を行った第三者が出入口５を解錠することを未然に防止することができる。
【００５５】
（５）変形例
本実施形態では、鍵側制御部２２は、実行情報を表すメッセージを表示部２５に表示しているが、他の構成であってもよい。例えば、実行情報を表すメッセージは、鍵装置２に備え付けのスピーカから音声として再生してもよい。その他、実行情報を表すメッセージは、電気錠装置１に備え付けのスピーカから音声として再生してもよい。
【００５６】
その他、鍵側制御部２２は、実行情報を表すメッセージを表示部２５に表示する前に、備え付けのスピーカから音を再生したり、鍵装置２を振動させたりしてもよい。この場合、既登録装置２Ａのユーザ６の注意を表示部２５に向けることができる。また、本実施形態のように鍵装置２が電話機能を有する携帯端末である場合、鍵側制御部２２は、ユーザ６がマナーモード（サイレントモード）に設定していても、備え付けのスピーカから音を再生してもよい。この場合、既登録装置２Ａのユーザ６に対して、実行情報を漏れなく確認させ易い。
【００５７】
本実施形態では、実行情報は、複数の情報を含んでいてもよい。そして、通知部３は、複数の情報のうち優先度の高い情報から通知するように構成されていてもよい。例えば、実行情報が、登録処理が実行された旨の情報、パスワードが変更された旨の情報、パスワードが参照された旨の情報、及び登録が抹消された旨の情報を含んでいるとする。この場合、通知部３は、通信時間が許す限り、登録処理が実行された旨の情報、パスワードが変更された旨の情報、パスワードが参照された旨の情報、及び登録が抹消された旨の情報の順に通知してもよい。
【００５８】
本実施形態では、実行情報は、登録処理に関する処理が実行された時刻を含んでいてもよい。この場合、錠側記憶部１５には、登録処理に関する処理と、当該処理が実行された時刻とが紐付けられて記憶される。
【００５９】
本実施形態では、電気錠装置１は、実行情報の通知を受けた既登録装置２Ａが実行情報を再生することにより、間接的に実行情報を通知しているが、他の構成であってもよい。例えば、電気錠装置１が実行情報を再生することで、直接的に実行情報を通知してもよい。この場合、電気錠装置１は、備え付けのスピーカでメッセージを再生してもよいし、備え付けの表示部にメッセージを表示してもよい。その他、電気錠装置１は、例えば発光ダイオード等の発光素子を備えていれば、発光素子の消灯、点灯、点滅により実行情報を通知してもよい。
【００６０】
本実施形態では、認証時において、電気錠装置１が自発的に実行情報を既登録装置２Ａのユーザ６に対して通知しているが、他の構成であってもよい。例えば、認証後に既登録装置２Ａのユーザ６が電気錠装置１に実行情報を要求し、要求に応じて電気錠装置１が実行情報を既登録装置２Ａのユーザ６に対して通知してもよい。
【００６１】
本実施形態では、鍵装置２は、例えばスマートフォンのような携帯端末であるが、他の構成であってもよい。例えば、鍵装置２は、コンピュータを電気錠装置１の鍵として動作させるためのプログラム（アプリケーション）を実行可能な携帯端末であれば、タブレット型のコンピュータ等であってもよい。その他、鍵装置２は、ユーザ６が所持する鞄などに収納又は取付可能な電子タグ等であってもよい。
【００６２】
本実施形態では、出入口５の解錠及び施錠を許可された既登録装置２Ａの台数が１台であるが、複数台であってもよい。例えば、建物４に居住する全ての住人が、それぞれ既登録装置２Ａを所持していてもよい。この場合、全ての住人は、いずれも自分の所持する既登録装置２Ａを用いて出入口５の解錠及び施錠を行うことが可能である。
【００６３】
また、通知部３は、複数の既登録装置２Ａのうち２以上の既登録装置２Ａのユーザ６に対して実行情報を通知するように構成されていてもよい。例えば、電気錠システム１００を用いる家族の構成が父、母、子供２人であり、各々が既登録装置２Ａを所持しているとする。この場合、通知部３は、４台の既登録装置２Ａのユーザ６のうち父及び母に対して実行情報を通知してもよい。
【００６４】
本実施形態では、認証部１４１、登録部１４２、及び通知部３は錠側制御部１４を構成するハードウェア（マイクロコンピュータ）の機能により実現されているが、他の構成であってもよい。例えば、認証部１４１、登録部１４２、及び通知部３のうち少なくとも１つは、錠側制御部１４とは別のハードウェアで構成されていてもよい。
【００６５】
本実施形態では、錠側通信部１１と鍵側通信部２１とは、ＢＬＥの規格に準拠した近距離無線通信方式で通信を行っているが、他の方式であってもよい。例えば、錠側通信部１１と鍵側通信部２１とは、ＺｉｇＢｅｅ（登録商標）の規格に準拠した無線通信方式で通信を行ってもよい。
【００６６】
本実施形態では、錠側制御部１４は、認証部１４１が電気錠１３を制御可能な状態とした後に錠側操作部１２が操作されることで、電気錠１３を制御するが、錠側操作部１２の操作は必須ではない。例えば、錠側制御部１４は、制御信号を錠側通信部１１が受信した時点で、電気錠１３を制御してもよい。制御信号は、鍵側操作部２３をユーザ６が操作することにより、鍵側通信部２１から送信される。
【００６７】
本実施形態では、鍵装置２は、出入口５の解錠及び施錠の両方の操作を行うことができるが、他の構成であってもよい。例えば、鍵装置２は、出入口５の解錠及び施錠の一方の操作だけを行う構成であってもよい。
【００６８】
本実施形態では、建物４の出入口５は、建物４の内（宅内４１）と外（宅外４２）とを隔てる扉（開き戸又は引戸）又は窓であるが、建物４の一部の区画の内と外とを隔てる扉であってもよい。例えば、建物４が複数の住戸を有する集合住宅、複数の店舗を有するテナントビル、及び複数の事務所を有するオフィスビルであれば、個々の区画（住戸、店舗、事務所）の内と外とを隔てる扉が出入口５となる。
【００６９】
本実施形態では、電気錠システム１００は戸建住宅に適用されているが、例えば集合住宅の各住戸に適用されてもよい。また、電気錠システム１００は、集合住宅の共用部玄関に適用されてもよいし、事務所、店舗、工場などの非住宅用の建物４に適用されてもよい。
【００７０】
本実施形態では、建物４の出入口５に取り付けられるケース１７に、電気錠装置１の全ての構成要素が収納されているが、電気錠装置１の構成要素が複数のケースに分散して収納されていてもよい。例えば、電気錠装置１の構成要素は、ケース１７と、建物４の宅内４１に設置される他のケースとに分散して収納されていてもよい。
【００７１】
（実施形態２）
（１）詳細
以下、実施形態２の電気錠システム１００及び電気錠装置１について説明する。ただし、本実施形態の基本的な構成は、実施形態１の電気錠システム１００及び電気錠装置１と共通しているので、共通する点については同一の符号を付して説明を省略する。本実施形態の電気錠システム１００では、図５に示すように、電気錠装置１の錠側制御部１４の代わりに、鍵装置２の鍵側制御部２２が通知部３を備えている。また、鍵装置２の鍵側制御部２２は、許可部７を更に備えている。
【００７２】
本実施形態では、鍵装置２はスマートフォンである。また、本実施形態では、通知部３及び許可部７の機能は、鍵装置２にインストールされた登録用のアプリケーションを、鍵側制御部２２を構成するマイクロコンピュータのプロセッサが実行することにより実現される。
【００７３】
本実施形態では、通知部３は、登録処理が試行されると、既登録装置２Ａのユーザ６に対して、実行情報として登録処理の試行に関する試行情報を通知するように構成されている。ここで、「登録処理の試行」とは、未登録装置２Ｂの電気錠装置１への登録をユーザ６が試みることをいう。具体的には、未登録装置２Ｂのユーザ６が電気錠装置１の錠側操作部１２に所定の操作（例えば電気錠装置１の宅内４１側の押釦スイッチを押す操作）をすることをいう。つまり、本実施形態では、通知部３は、動作モードが登録モードである場合に機能する。
【００７４】
許可部７は、通知部３による試行情報の通知が完了すると、登録処理の続行を許可するように構成されている。本実施形態では、試行情報の通知が完了するまでは、許可部７は、鍵側操作部２３の操作入力を無効とするように構成されている。このため、試行情報の通知が完了するまでは、未登録装置２Ｂのユーザ６は、鍵側操作部２３を操作してパスワードを入力することができない。試行情報の通知が完了すると、許可部７は、鍵側操作部２３の操作入力を有効にする。したがって、未登録装置２Ｂのユーザ６は、試行情報の通知が完了した後に、鍵側操作部２３を操作してパスワードを入力することで、登録処理を続行することができる。
【００７５】
（２）動作
以下、本実施形態の電気錠システム１００及び電気錠装置１の動作について図６を用いて説明する。まず、未登録装置２Ｂのユーザ６が電気錠装置１の錠側操作部１２に所定の操作をすることで、所定の期間（例えば、数十秒間）、電気錠装置１が通常モードから登録モードに移行する（ステップＳ３００）。登録モードに移行すると、登録部１４２が登録処理を開始する（ステップＳ３０１）。そして、錠側制御部１４は、電話番号などの既登録装置２Ａの宛先情報を錠側記憶部１５から読み出し、読み出した宛先情報を含む開始信号を錠側通信部１１から未登録装置２Ｂへ送信する（ステップＳ３０２）。鍵側通信部２１が開始信号を受信すると、未登録装置２Ｂの通知部３は、開始信号に含まれる既登録装置２Ａの宛先情報に基づいて、試行情報を含む通知信号を作成する。そして、通知部３は、登録用のアプリケーションの通信機能（例えば、チャット機能）を用いて、鍵側通信部２１から既登録装置２Ａへ通知信号を送信する（ステップＳ３０３）。ここで、通知信号を送信する処理は、未登録装置２Ｂのユーザ６が介在することなく自動的に実行される。
【００７６】
未登録装置２Ｂのユーザ６が所定の操作をしてから通知信号の送信が完了するまでの間、許可部７は、鍵側操作部２３の操作入力を無効とする。通知信号の送信が完了すると、許可部７は、鍵側操作部２３の操作入力を有効とする。そして、未登録装置２Ｂのユーザ６は、鍵側操作部２３を操作することにより、パスワードを入力する（ステップＳ３０４）。その後の動作は、実施形態１の「（２）登録モード」におけるステップＳ１０３以降と同様である。
【００７７】
（３）変形例
本実施形態では、通知部３は、未登録装置２Ｂのユーザ６が介在することなく通知信号を送信する処理を実行する構成であるが、他の構成であってもよい。例えば、通知部３は、通知信号を送信する旨のメッセージを表示部２５に表示してもよい。この場合、メッセージを見た第三者は不正登録を踏み止まると考えられるので、第三者による不正登録を抑止する効果が期待できる。
【００７８】
本実施形態では、通知部３は、登録用のアプリケーションの通信機能を用いて鍵側通信部２１から既登録装置２Ａへ通知信号を送信する構成であるが、他の構成であってもよい。例えば、通知部３は、電子メールを用いて鍵側通信部２１から既登録装置２Ａへ通知信号を送信する構成であってもよい。
【００７９】
本実施形態では、許可部７は、通知信号の送信が完了すると登録処理の続行を許可する構成であるが、他の構成であってもよい。例えば、許可部７は、通知信号の送信後に、既登録装置２Ａのユーザ６による承認を受けてから登録処理の続行を許可する構成であってもよい。ここでいう「承認」は、例えば既登録装置２Ａのユーザ６が自らパスワードを記載した電子メールを作成し、作成した電子メールを通知信号の送信元の未登録装置２Ｂへ送信することである。その他、「承認」は、例えば既登録装置２Ａにインストールされている登録用のアプリケーションの実行画面に表示される許可釦を、既登録装置２Ａのユーザ６が押すことである。この場合、登録用のアプリケーションは、許可釦が押されると、既登録装置２Ａの鍵側記憶部２４に予め記憶されているパスワードを、鍵側通信部２１から通知信号の送信元の未登録装置２Ｂへ送信する処理を実行する。上記のいずれの構成においても、未登録装置２Ｂのユーザ６は、既登録装置２Ａのユーザ６による承認が無ければ登録処理を続行できないので、第三者による不正登録を抑止する効果が期待できる。
【００８０】
本実施形態において、既登録装置２Ａ及び電気錠装置１は、例えばパスワードとしてワンタイムパスワードを共有してもよい。この場合、未登録装置２Ｂのユーザ６は、既登録装置２Ａのユーザ６からワンタイムパスワードを取得しない限り登録処理を完了できないので、第三者による不正登録を抑止する効果が期待できる。
【００８１】
本実施形態において、登録用のアプリケーション（プログラム）は、鍵装置２へのインストール時に注意書きを表示部２５に表示する処理を含んでいてもよい。注意書きは、登録処理に関する処理を実行する際に、既登録装置２Ａのユーザ６に対して試行情報を送信する旨のメッセージなどである。この場合、注意書きを見た第三者は不正登録を踏み止まると考えられるので、注意書きのみで第三者による不正登録を抑止する効果が期待できる。
【００８２】
本実施形態では、鍵装置２が許可部７を備えているが、電気錠装置１が許可部７を備えていてもよい。この場合、許可部７は、試行情報の通知が完了するまでは、錠側通信部１１が未登録装置２Ｂから登録要求信号を受信しても、登録要求信号に含まれるパスワードを、錠側記憶部１５にて予め記憶しているパスワードと照合しない。
【００８３】
本実施形態では、通知部３は、試行情報を既登録装置２Ａのユーザ６に対して通知するだけの構成であるが、他の構成であってもよい。例えば、通知部３は、試行情報を通知した時点で、試行情報を通知した旨のメッセージを表示部２５に表示してもよい。この場合、未登録装置２Ｂのユーザ６が不正登録を試みる第三者であれば、この第三者による不正登録を抑止する効果が期待できる。試行情報を通知した旨のメッセージは、未登録装置２Ｂの備え付けのスピーカから音声として再生されてもよい。
【００８４】
本実施形態では、鍵側制御部２２は、通知部３及び許可部７を備えているが、許可部７を備えていなくてもよい。この場合、未登録装置２Ｂのユーザ６は、試行情報の通知が完了するのを待たずとも、鍵側操作部２３を操作してパスワードを入力し、登録処理を続行することが可能である。
【００８５】
本実施形態では、通知部３及び許可部７は、鍵側制御部２２を構成するハードウェア（マイクロコンピュータ）の機能により実現されているが、他の構成であってもよい。例えば、通知部３及び許可部７のうち少なくとも１つは、鍵側制御部２２とは別のハードウェアで構成されていてもよい。
【００８６】
実施形態２に係る電気錠システム１００の構成（変形例を含む）は、実施形態１（変形例を含む）の構成と適宜組み合わせ可能である。
【００８７】
（まとめ）
以上述べたように、第１の態様の電気錠システム（１００）は、電気錠装置（１）と、鍵装置（２）と、通知部（３）と、を備える。電気錠装置（１）は、建物（４）の出入口（５）を施錠又は解錠する電気錠（１３）を制御する。鍵装置（２）は、出入口（５）の解錠操作及び施錠操作のうち少なくとも一方の操作を行うための装置である。電気錠装置（１）は、錠側通信部（１１）と、錠側制御部（１４）と、登録部（１４２）と、を有している。錠側通信部（１１）は、鍵装置（２）との間で無線通信を行う。錠側制御部（１４）は、錠側通信部（１１）が鍵装置（２）のうち既登録の鍵装置（２）である既登録装置（２Ａ）から受信した鍵情報と、予め記憶している認証情報との認証を行い、認証に成功すると電気錠（１３）を制御可能な状態にする。登録部（１４２）は、登録処理を実行する。登録処理は、所定の条件を満たした場合に未登録の鍵装置（２）である未登録装置（２Ｂ）のための鍵情報を未登録装置（２Ｂ）に対して送信し、かつ、当該鍵情報を認証情報の一部として記憶する処理である。登録処理は、錠側通信部（１１）と未登録装置（２Ｂ）との間の通信により行われる。通知部（３）は、既登録装置（２Ａ）のユーザ（６）に対して、登録処理に関する処理が実行されたことを実行情報として通知するように構成されている。
【００８８】
この構成によれば、既登録装置（２Ａ）のユーザ（６）は、登録処理に関する処理が実行されたことを知ることができる。つまり、この構成によれば、第三者による不正登録の試行があったことを既登録装置（２Ａ）のユーザ（６）に認識させ易い。
【００８９】
第２の態様の電気錠システム（１００）では、第１の態様において、電気錠装置（１）は、通知部（３）を有している。通知部（３）は、既登録装置（２Ａ）と電気錠装置（１）との間で認証を行うと、実行情報を通知するように構成されている。
【００９０】
この構成によれば、電気錠装置（１）が鍵装置（２）以外の装置との間の通信機能を有していなくても、既登録装置（２Ａ）のユーザ（６）に対して実行情報を通知することができる。例えば、この構成によれば、電気錠装置（１）及び鍵装置（２）がインターネットに接続されていなくても、既登録装置（２Ａ）のユーザ（６）に対して実行情報を通知することができる。ただし、この構成は必須ではなく、通知部（３）は、インターネットを介して既登録装置（２Ａ）と通信することにより、実行情報を通知するように構成されていてもよい。
【００９１】
第３の態様の電気錠システム（１００）では、第２の態様において、実行情報は、複数の情報を含んでいる。通知部（３）は、複数の情報のうち優先度の高い情報から通知するように構成されている。
【００９２】
この構成によれば、認証通信の時間が短い場合、又は認証通信が途中で途切れた場合にも、優先度の高い情報を既登録装置（２Ａ）のユーザ（６）に対して通知し易い。ただし、この構成は必須ではなく、実行情報が含む複数の情報に優先度を設けなくてもよい。
【００９３】
第４の態様の電気錠システム（１００）では、第２又は第３の態様において、実行情報は、登録処理に関する処理が実行された時刻を含んでいる。
【００９４】
この構成によれば、既登録装置（２Ａ）のユーザ（６）は、登録処理に関する処理が実行された時刻を知ることができ、登録処理に関する処理の実行主体が第三者であるか否かを推測し易い。ただし、この構成は必須ではなく、実行情報は、登録処理に関する処理が実行された時刻を含んでいなくてもよい。
【００９５】
第５の態様の電気錠システム（１００）では、第２〜第４のいずれかの態様において、既登録装置（２Ａ）は、複数である。通知部（３）は、複数の既登録装置（２Ａ）のうち２以上の既登録装置（２Ａ）のユーザ（６）に対して実行情報を通知するように構成されている。
【００９６】
この構成によれば、２人以上の既登録装置（２Ａ）のユーザ（６）が登録処理に関する処理が実行されたことを知ることができるので、登録処理に関する処理が実行されたことを認識し易い。
【００９７】
第６の態様の電気錠システム（１００）では、第１の態様において、鍵装置（２）は、通知部（３）を有している。通知部（３）は、登録処理が試行されると、既登録装置（２Ａ）のユーザ（６）に対して、実行情報として登録処理の試行に関する試行情報を通知するように構成されている。
【００９８】
この構成によれば、既登録装置（２Ａ）のユーザ（６）に対して、登録処理の試行をリアルタイムに通知することができる。ただし、この構成は必須ではなく、通知部（３）は、登録処理が試行されても試行情報を通知しないように構成されていてもよい。
【００９９】
第７の態様の電気錠システム（１００）では、第６の態様において、通知部（３）は、電子メールにより、既登録装置（２Ａ）のユーザ（６）に対して試行情報を通知するように構成されている。
【０１００】
この構成によれば、既登録装置（２Ａ）のユーザ（６）は、電子メールに付されている送信元である未登録装置（２Ｂ）のアドレスを確認することで、未登録装置（２Ｂ）のユーザ（６）を特定し易い。例えば、未登録装置（２Ｂ）のユーザ（６）が既登録装置（２Ａ）のユーザ（６）の知人であれば、既登録装置（２Ａ）のユーザ（６）は、この知人の電子メールのアドレスを知っている可能性が高い。ただし、この構成は必須ではなく、通知部（３）は、例えば既に述べたように登録用のアプリケーションが備えるチャット機能を用いて試行情報を通知してもよい。
【０１０１】
第８の態様の電気錠システム（１００）は、第６又は第７の態様において、許可部（７）を更に備える。許可部（７）は、通知部（３）による試行情報の通知が完了すると、登録処理の続行を許可するように構成されている。
【０１０２】
この構成によれば、既登録装置（２Ａ）のユーザ（６）に対して、登録処理が試行されたことを通知することなく登録処理が続行されるのを防ぎ易い。ただし、この構成は必須ではなく、電気錠システム（１００）は、許可部（７）を備えていなくてもよい。
【０１０３】
第９の態様の電気錠装置（１）は、第１〜第８のいずれかの態様の電気錠システム（１００）における電気錠装置（１）であって、通知部（３）を備える。
【０１０４】
この構成によれば、第三者による不正登録の試行があったことを既登録装置（２Ａ）のユーザ（６）に認識させ易い。
【０１０５】
以上、実施形態に係る電気錠システム（１００）及び電気錠装置（１）について説明した。ただし、以上に説明した実施形態１，２は、いずれも本発明の様々な実施形態の一つに過ぎない。上記の実施形態１，２は、いずれも本発明の目的を達成できれば、設計等に応じて種々の変更が可能である。
【符号の説明】
【０１０６】
１  電気錠装置
１１  錠側通信部
１３  電気錠
１４  錠側制御部
１４２  登録部
２  鍵装置
２Ａ  既登録装置
２Ｂ  未登録装置
３  通知部
４  建物
５  出入口
６  ユーザ
７  許可部
１００  電気錠システム
【図１】
2018145638.tif 000003
【図２】
2018145638.tif 000004
【図３】
2018145638.tif 000005
【図４】
2018145638.tif 000006
【図５】
2018145638.tif 000007
【図６】
2018145638.tif 000008